(57)【特許請求の範囲】
【請求項１】
同一平面内に配置された平板により構成される基板部と、
前記基板部から上方に折れ曲がり互いに対向するように配置された一対の垂直板部を有し、両端部の辺それぞれが前記一対の垂直板部の上端部の辺それぞれに一体的に繋げられ、中央部に開口部が形成された四辺形の水平板部を有する複数の架台部と、
前記複数の架台部のそれぞれにおける前記水平板部の両端部の辺に直角に隣接する前記水平板部の他の２辺を、互いに対向する２つの係止部が隙間を介して挟み込むことにより、前記水平板部に水平移動自在に吊り下げられた複数のナット部材とを備え、
前記ナット部材は、前記２つの係止部から前記水平板部より下方に連続して形成された雌ネジ部が前記水平板部の前記開口部と同軸上に配置された
ことを特徴とするパネル固定具。
【請求項２】
前記ナット部材の２つの係止部は、帯板状部材の長さ方向両端部のそれぞれを、前記水平板部の上側に折り返して形成され、
前記ナット部材は、前記２つの係止部から前記水平板部より下方に突出する筒状部を有し、この筒状部の内周部に前記雌ネジ部が形成されたことを特徴とする請求項１に記載のパネル固定具。
【請求項３】
前記基板部は、十字形状に形成された平板の中央基板部と、この中央基板部の両側に１枚ずつ配置された帯状に形成された平板の端部側基板部により構成されており、
前記架台部は、前記中央基板部と前記端部側基板部との間の４つの領域それぞれに一体的に形成されたことを特徴とする請求項１又は２に記載のパネル固定具。
【発明の詳細な説明】
【技術分野】
【０００１】
本発明は、例えば、フリーアクセスフロアのパネル部材を固定するのに用いられるようなパネル固定具に関するものである。
【背景技術】
【０００２】
図９は、従来のパネル固定具２（例えば、特許文献１参照）と、この従来のパネル固定具２上に載置され固定されるパネル部材４、及びこのパネル部材４の隅部をパネル固定具２に固定するためのネジ部材６を示す断面図である。
【０００３】
パネル固定具２は、図示しない支持脚の調整台の上や、図示しない水平に設置された角パイプ材を用いたフレーム上などに固定されて用いられる。また、雄ネジ部６ａを有するネジ部材６は、その先端部側が、パネル部材４の隅部に形成された段付き孔部８に上方から挿入され、その雄ネジ部６ａが、パネル固定具２におけるキャップ部材１０の上端部に形成された雌ネジ部１２に、ネジ締結されるようになっている。
【０００４】
パネル固定具２のキャップ部材１０は、水平方向（図９中、左右方向及び紙面に垂直の方向）に一定範囲内で自在に移動することができるように設けられているので、パネル部材４の取り付け位置が水平方向に多少ずれても、その隅部を止めるネジ部材６は、確実に、上記キャップ部材１０の雌ネジ部１２にネジ締結することができるようになっている。
【特許文献１】特開２００７−２１８０００号公報
【発明の開示】
【発明が解決しようとする課題】
【０００５】
しかしながら、上記従来のパネル固定具２は、部品点数が多いため、構造が複雑化しているという面で問題があった。
【０００６】
そこで本発明は、上記問題点に鑑みて、部品点数を減らすことができ、構造を簡単化することができるパネル固定具を提供することを課題とするものである。
【課題を解決するための手段】
【０００７】
上記課題を解決するために、本発明によるパネル固定具は、
同一平面内に配置された平板により構成される基板部と、
前記基板部から上方に折れ曲がり互いに対向するように配置された一対の垂直板部を有し、両端部の辺それぞれが前記一対の垂直板部の上端部の辺それぞれに一体的に繋げられ、中央部に開口部が形成された四辺形の水平板部を有する複数の架台部と、
前記複数の架台部のそれぞれにおける前記水平板部の両端部の辺に直角に隣接する前記水平板部の他の２辺を、互いに対向する２つの係止部が隙間を介して挟み込むことにより、前記水平板部に水平移動自在に吊り下げられた複数のナット部材とを備え、
前記ナット部材は、前記２つの係止部から前記水平板部より下方に連続して形成された雌ネジ部が前記水平板部の前記開口部と同軸上に配置されたことを特徴とするものである。
【０００８】
また、本発明によるパネル固定具は、
前記ナット部材の２つの係止部は、帯板状部材の長さ方向両端部のそれぞれを、前記水平板部の上側に折り返して形成され、
前記ナット部材は、前記２つの係止部から前記水平板部より下方に突出する筒状部を有し、この筒状部の内周部に前記雌ネジ部が形成されたことを特徴とするものである。
【０００９】
また、本発明によるパネル固定具は、
前記基板部は、十字形状に形成された平板の中央基板部と、この中央基板部の両側に１枚ずつ配置された帯状に形成された平板の端部側基板部により構成されており、
前記架台部は、前記中央基板部と前記端部側基板部との間の４つの領域それぞれに一体的に形成されたことを特徴とするものである。
【発明の効果】
【００１０】
このような本発明のパネル固定具によれば、
同一平面内に配置された平板により構成される基板部と、
前記基板部から上方に高さを有するように形成され、上端部に開口部が形成された水平板部を有する複数の架台部と、
前記複数の架台部のそれぞれにおける前記水平板部に水平移動自在に係合され、前記開口部と同軸方向に連通するように形成された雌ネジを有する複数のナット部材と
を備えることにより、
部品点数を減らすことができ、構造を簡単化することができる。
【００１１】
また、本発明のパネル固定具によれば、前記基板部と前記複数の架台部とが一体的に形成されていることにより、
さらに、部品点数を減らすことができ、構造を簡単化することができる。
【００１２】
また、本発明のパネル固定具によれば、
前記ナット部材が、帯板状部材の長さ方向両端部のそれぞれを折り返して形成した互いに対向する２つの係止部を有し、
前記２つの係止部のそれぞれが、前記水平板部の互いに対向する２辺のそれぞれに隙間を介して水平移動自在に係合されることにより、
パネル部材の取り付け位置が水平方向に多少ずれても、その隅部を止めるネジ部材は、確実に、ナット部材の雌ネジ部にネジ締結することができる。
【発明を実施するための最良の形態】
【００１３】
以下、本発明に係るパネル固定具を実施するための最良の形態について、図面に基づいて具体的に説明する。
図１から図８は、本発明の一実施の形態に係るパネル固定具２０について説明するために参照する図である。
【００１４】
本実施の形態に係るパネル固定具２０は、図１から図３に示すように、基板部２２と、４つの架台部３０と、４つのナット部材３２とを備えて構成されている。また、パネル固定具２０の基板部２２は、１枚の中央基板部２２ａと、それを図中左右両側から挟むよう配置された、２枚の端部側基板部２２ｂとを備えて構成されている。
【００１５】
基板部２２の中央基板部２２ａは、図１に示すように、十字形状に形成された平板であって、パネル固定具２０の中央部に配置されている。この中央基板部２２ａには、その厚さ方向（図１中、紙面に垂直の方向）に貫通する４つの取付け用孔３４が設けられている。
【００１６】
また、基板部２２の２枚の端部側基板部２２ｂのそれぞれは、図１中の上下方向に長さを有する帯状の平板であって、同図中におけるパネル固定具２０の左右両側に配置されている。この基板部２２の１枚の中央基板部２２ａと２枚の端部側基板部２２ｂは、図２に示すように、同一平面上に配置されている。
【００１７】
パネル固定具２０の４つの架台部３０は、図１に示すように、基板部２２における１枚の中央基板部２２ａの十字形状と、２枚の端部側基板部２２ｂとの間に配置される、４つの領域のそれぞれに形成されていることにより、互いに離れて縦横２列に並んで配置されている。
【００１８】
この４つの架台部３０のそれぞれは、図１，２中左右方向に離れて互いに対向するように平行に配置される一対の垂直板部３６ａ，３６ｂを有している。架台部３０のそれぞれは、この一対の垂直板部３６ａ，３６ｂのうちの、図１中左右方向に互いに離れて並ぶ隣同士の架台部３０に互に対向する側（内側）の垂直板部３６ａの下端部が、基板部２２における中央基板部２２ａの十字形状の図中縦方向部分で直角に折れ曲がって、中央基板部２２ａに一体的に繋がっている。
【００１９】
また、架台部３０のそれぞれにおける、一対の垂直板部３６ａ，３６ｂのうちの垂直板部３６ａとは反対側（外側）の垂直板部３６ｂは、その下端部が端部側基板部２２ｂの図１中上下両端部の縦方向部分で直角に折れ曲がって、端部側基板部２２ｂに一体的に繋がっている。これにより、図１中上下方向に互いに離れて並ぶ隣同士の架台部３０は、その垂直板部３６ｂ同士が、端部側基板部２２ｂを介して一体的に繋がるようになっている。
【００２０】
また、架台部３０のそれぞれは、その高さ上端部に１枚の水平板部４０を有している。この水平板部４０はその両端部から直角に下方に折れ曲がるように、一対の垂直板部３６ａ，３６ｂの上端部に一体的に繋がって形成されている。また、この水平板部４０の中央部には、その厚さ方向に貫通する円形状の開口部４２が形成されている。この開口部４２はその円形状の直径が、後述するナット部材３２の雌ネジ部５２の最大の径（雌ネジ部５２の谷の径）よりも大きくなるように形成されている。
【００２１】
このパネル固定具２０の基板部２２と４つの架台部３０は、図４に示すような形状の１枚の平板素材４４から、折曲げ加工により一体的に形成されるようになっている。すなわち、パネル固定具２０の基板部２２と４つの架台部３０は、図４に示す平板素材４４を、同図中に示すような互いに逆方向の折り目となる仮想線Ｘ，Ｙのそれぞれにおいて直角に折り曲げることにより、形成されるものである。すなわち、仮想線Ｘにおいては直角の内側になるよう折り曲げられ、仮想線Ｙにおいて直角の外側になるよう折り曲げるようになっている。
【００２２】
また、図１に示すように、パネル固定具２０の４つのナット部材３２のそれぞれは、初めは帯板状部材であって、図１中上下方向の長さ両端部のそれぞれを中央部側に折り返すように折り曲げて形成した２つの係止部４８を有している。
【００２３】
ナット部材３２の長さ中央部は、図３に示すように、架台部３０の水平板部４０の下側に配置され、その両端部の上記２つの係止部４８のそれぞれが、架台部３０の水平板部４０における外周の４辺のうちの、一対の垂直板部３６ａ，３６ｂと連結する２辺以外の２辺、すなわち、図１中左右方向に伸びる一対の２辺のそれぞれの縁部に、すなわち、図３中の水平板部４０の左右両側の縁部に隙間を有して係合している。このとき、水平板部４０とその下側のナット部材３２の中央部との間にも隙間を有している。
【００２４】
すなわち、ナット部材３２のそれぞれは、その２つの係止部４８同士が互いに対向する方向の全体長さから、この２つの係止部４８のそれぞれの折り返し部の厚さ分を差し引いた長さ（図３中、寸法Ｓ）が、このような長さ方向と同じ方向の、水平板部４０の幅の長さ（図３中、寸法Ｔ）よりも長くなるように形成されている。これによりナット部材３２は、その２つの係止部４８同士が互いに対向する方向に、（Ｓ−Ｔ）の長さ範囲内で自在に移動することができるようになっている。
【００２５】
また、ナット部材３２のそれぞれは、図２に示すように、水平方向であって、その図２中の左右方向の長さ（図２中、寸法Ｕ）が、架台部３０における一対の垂直板部３６ａ，３６ｂ間の内側の長さ（図２中、寸法Ｖ）よりも短い長さとなるように形成されている。
【００２６】
これによりナット部材３２は、水平板部４０に対して、水平方向であって、かつ、その２つの係止部４８同士が互いに対向する方向と直角の方向に、（Ｖ−Ｕ）の長さ範囲内で自在に移動することができるようになっている。したがって、ナット部材３２のそれぞれは、結局、水平板部４０に対して水平方向の所定範囲内で、任意の方向に移動自在となっている。このとき、水平板部４０とその下側のナット部材３２の中央部との間にも隙間を有しているので、上記ナット部材３２の移動を円滑にすることができる。
【００２７】
また、ナット部材３２には、図３に示すように、基板部２２側に突出する筒状部５０が、その両端部の係止部４８間にテーパ部５１を介して形成されている。このような筒状部５０は、例えば、絞り加工等により形成することができる。この筒状部５０は、ナット部材３２がその水平方向の移動可能範囲の中央部に位置するときに、上記水平板部４０の開口部４２と同軸方向に形成されている。
【００２８】
また、このナット部材３２の筒状部５０には、その内周部に雌ネジ部５２が形成されている。このナット部材３２の雌ネジ部５２は、図１及び図３に示すように、架台部３０における水平板部４０の開口部４２と、同軸方向に連通するような位置に形成されている。
【００２９】
図５から図８は、本実施の形態に係るパネル固定具２０の使用法を説明するために参照する図である。パネル固定具２０は、図５及び図６に示すように、高さ調整自在の支持脚５４の調整台５６の上に載置されている。
【００３０】
また、パネル固定具２０における基板部２２の中央基板部２２ａ上には、この中央基板部２２ａとほぼ相似形の十字形状に形成され、中央基板部２２ａの４つの取付け用孔３４のそれぞれに対応する位置に取付け用孔５８が設けられた固定板部材６０が重ねて載置されている。
【００３１】
また、支持脚５４の調整台５６には、パネル固定具２０の中央基板部２２ａ及び固定板部材６０それぞれの４つの取付け用孔３４，５８に対応する位置に、４つの取付け用孔６２が設けられている。これにより、パネル固定具２０の中央基板部２２ａは、固定板部材６０と調整台５６の間に挟まれて、４本のリベット部材６４により固定されている。
【００３２】
そして、図７及び図８に示すように、固定板部材６０上には、一箇所に集められた４枚のパネル部材７０の各隅部が載置されるようになっている。ここで、図７においては、図面の複雑化を防止するため、パネル固定具２０、固定板部材６０、及び調整台５６は、その外形線のみを破線で示してある。図８に示すように、４枚のパネル部材７０の各隅部を固定する４本のネジ部材７２それぞれの雄ネジ部７２ａは、パネル固定具２０のナット部材３２の雌ネジ部５２にネジ締結するようになっている。
【００３３】
本実施の形態に係るパネル固定具２０においては、そのナット部材３２が独自に水平移動自在の構造になっているので、パネル部材７０の取り付け位置が水平方向に多少ずれても、その隅部を止めるネジ部材７２は、確実に、パネル固定具２０のナット部材３２の雌ネジ部５２にネジ締結することができるようになっている。
【００３４】
このような本実施の形態に係るパネル固定具２０によれば、前記従来のパネル固定具２に比べて、部品点数を減らすことができ、構造を簡単化することができる。
【００３５】
また、本実施の形態に係るパネル固定具２０によれば、基板部２２と架台部３０とが一体的に形成されているので、さらに部品点数を減らすことができ、構造を簡単化することができる。
【００３６】
また、本実施の形態に係るパネル固定具２０によれば、ナット部材３２のそれぞれが、折り返して形成した２つの係止部４８を有し、この２つの係止部４８のそれぞれが、水平板部４０の２辺のそれぞれの縁に水平移動自在に係合されるようになっていることにより、ナット部材３２を単一品として形成することができるので、さらに構造を簡単化することができる。
【００３７】
なお、本実施の形態に係るパネル固定具２０においては、その基板部２２と４つの架台部３０とが、図４に示す平板素材４４から、折曲げ加工により一体的に形成されるようになっていたが、他の実施例として、基板部２２に相当する１枚の平板上に、この平板とは別個に作製された４つの架台部を、溶接等により固定するようにしてもよい。
【００３８】
また、本実施の形態に係るパネル固定具２０においては、そのナット部材３２の筒状部５０が、架台部３０の水平板部４０の下側に配置されるようになっていたが、その筒状部５０が水平板部４０の上側に配置されるように、ナット部材３２を水平板部４０に係合させるようにしてもよい。
【００３９】
また、本実施の形態においては、パネル固定具２０が支持脚５４の調整台５６の上に、リベット部材６４により固定されるようになっていたが、パネル固定具２０は、ボルトとナット等のネジ部材や、接着剤等により固定されるようになっていてもよい。
【００４０】
また、本実施の形態においては、パネル固定具２０の使用法として、このパネル固定具２０を支持脚５４の調整台５６の上に固定する場合について説明したが、パネル固定具２０は、このような使用法に限定されず、例えば、角パイプにより構成されて水平に配置されるフレーム構造体等の上に固定されるようになっていてもよい。
【図面の簡単な説明】
【００４１】
【図１】本発明の一実施の形態に係るパネル固定具２０を示す平面図である。
【図２】図１に示すパネル固定具２０の正面図である。
【図３】図１に示すパネル固定具２０のＡ−Ａ線矢視の断面図である。
【図４】図１に示す基板部２２及び架台部３０の素材となる平板素材４４を示す展開図である。
【図５】本発明の一実施の形態に係るパネル固定具２０の使用法を説明するための平面図である。
【図６】本発明の一実施の形態に係るパネル固定具２０の使用法を説明するための側面図である。
【図７】本発明の一実施の形態に係るパネル固定具２０の使用法を説明するための平面図である。
【図８】図７に示すパネル部材７０のＢ−Ｂ線矢視の断面図及びパネル固定具２０、支持脚５４の側面図である。
【図９】従来のパネル固定具２、パネル部材４、及びネジ部材６を示す断面図である。
【符号の説明】
【００４２】
２  パネル固定具
４  パネル部材
６  ネジ部材
８  段付孔部
１０  キャップ部材
１２  雌ネジ部
２０  パネル固定具
２２  基板部
２２ａ  中央基板部
２２ｂ  端部側基板部
３０  架台部
３２  ナット部材
３４  取付け用孔
３６ａ，３６ｂ  垂直板部
４０  水平板部
４２  開口部
４４  平板素材
４８  係止部
５１  テーパ部
５０  筒状部
５２  雌ネジ部
５４  支持脚
５６  調整台
５８  取付け用孔
６０  板部材
６２  取付け用孔
６４  リベット部材
７０  パネル部材
７２  ネジ部材
７２ａ  雄ネジ部
【図１】
0005231036.tif 000002
【図２】
0005231036.tif 000003
【図３】
0005231036.tif 000004
【図４】
0005231036.tif 000005
【図５】
0005231036.tif 000006
【図６】
0005231036.tif 000007
【図７】
0005231036.tif 000008
【図８】
0005231036.tif 000009
【図９】
0005231036.tif 000010